【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ブロードキャストコンテンツに埋め込まれたメタデータに基づいて、前記ブロードキャストコンテンツを出力するための方法であって、
コンピューティングデバイスによって、ウォーターマークされたブロードキャストコンテンツを受信することと、ここにおいて、前記受信されたウォーターマークされたブロードキャストコンテンツは、前記ブロードキャストコンテンツに埋め込まれたメタデータを備え、前記メタデータは、二次コンテンツを出力するためのタイミングを確立するタイミング情報および二次コンテンツがどこに位置するかを特定するロケーション情報を備え、前記タイミング情報は、前記ブロードキャストコンテンツのための確立されたタイムラインに関連するタイミング情報と、前記ブロードキャストコンテンツの一部に関連するタイミング情報と、前記ブロードキャストコンテンツに関して前記コンピューティングデバイスによって行われる動作に関連するタイミング情報と、前記埋め込まれたメタデータに関して前記コンピューティングデバイスによって行われる動作に関連するタイミング情報と、から成るグループから選択される相対的タイミング情報である、
前記コンピューティングデバイスによって、前記ブロードキャストコンテンツから前記メタデータを抽出するために前記ウォーターマークされたブロードキャストコンテンツを復号することと、
前記コンピューティングデバイスによって、前記ブロードキャストコンテンツを出力し、前記抽出されたメタデータによって特定されるタイムインスタンスで、ブロードキャストコンテンツの出力から、二次コンテンツの出力に切り替えることと、
を備える、方法。
【請求項２】
前記二次コンテンツは、前記二次コンテンツがどこに位置するかを特定する前記メタデータの中の前記ロケーション情報に基づいて、インターネットを通して前記コンピューティングデバイスによって取り出される、請求項１に記載の方法。
【請求項３】
前記メタデータの前記タイミング情報に基づいて、前記二次コンテンツを出力するための粗いタイミングを確立することをさらに備え、ここにおいて、前記メタデータと共同して前記ブロードキャストコンテンツを出力することは、前記ブロードキャストコンテンツを出力し、そして前記粗いタイミングに少なくとも部分的に基づく時刻で、前記二次コンテンツの出力に切り替えることを備える、
請求項１に記載の方法。
【請求項４】
前記ブロードキャストコンテンツのフレームレート分解能に基づいて、前記二次コンテンツを出力するための細かいタイミングを確立することをさらに備え、ここにおいて、前記メタデータと共同して前記ブロードキャストコンテンツを出力することは、前記ブロードキャストコンテンツを出力し、そして前記粗いタイミングおよび前記細かいタイミングに基づく時刻で、前記二次コンテンツの出力に切り替えることを備える、
請求項３に記載の方法。
【請求項５】
前記コンピューティングデバイス内のハイパーテキスト転送プロトコル（ＨＴＴＰ）キャッシュに前記ブロードキャストコンテンツおよび前記抽出されたメタデータを記憶することをさらに備え、
ここにおいて、前記メタデータと共同して前記ブロードキャストコンテンツを出力することは、前記ＨＴＴＰキャッシュにアクセスするウェブベースのクライアントを介して出力することを備える、
請求項１に記載の方法。
【請求項６】
前記ウェブベースのクライアントを介して出力することは、前記メタデータと共同して前記ブロードキャストコンテンツを出力するために、前記ウェブベースのクライアントに、前記ＨＴＴＰキャッシュに記憶された、前記ブロードキャストコンテンツおよび前記抽出されたメタデータを転送することを備える、請求項５に記載の方法。
【請求項７】
前記ウェブベースのクライアントは、前記コンピューティングデバイス上で実行するクライアントアプリケーションである、請求項５に記載の方法。
【請求項８】
前記抽出されたメタデータと共同して前記ブロードキャストコンテンツを前記出力することを提供するように動作可能な広告選択および挿入アプリケーションは、前記コンピューティングデバイスにインストールされる、請求項５に記載の方法。
【請求項９】
ブロードキャストコンテンツに埋め込まれたメタデータに基づいて、前記ブロードキャストコンテンツを出力するためのコンピュータプログラム製品であって、
命令を備える非一時的なコンピュータ読み取り可能な媒体を備え、前記命令は、コンピューティングシステムのプロセッサによって実行されるとき、前記プロセッサに、請求項１ないし８のいずれか一項に記載の方法のステップを行わせる、
コンピュータプログラム製品。
【請求項１０】
ブロードキャストコンテンツに埋め込まれたメタデータに基づいて、前記ブロードキャストコンテンツを出力するための装置であって、
ウォーターマークされたブロードキャストコンテンツを受信するための手段と、ここにおいて、前記受信されたウォーターマークされたブロードキャストコンテンツは、前記ブロードキャストコンテンツに埋め込まれたメタデータを備え、前記メタデータは、二次コンテンツを出力するための時間を確立するタイミング情報および二次コンテンツがどこに位置するかを特定するロケーション情報を備え、前記タイミング情報は、前記ブロードキャストコンテンツのための確立されたタイムラインに関連するタイミング情報と、前記ブロードキャストコンテンツの一部に関連するタイミング情報と、前記ブロードキャストコンテンツに関してコンピューティングデバイスによって行われる動作に関連するタイミング情報と、前記埋め込まれたメタデータに関して前記コンピューティングデバイスによって行われる動作に関連するタイミング情報と、から成るグループから選択される相対的タイミング情報である、
前記ブロードキャストコンテンツから前記メタデータを抽出するために前記ウォーターマークされたブロードキャストコンテンツを復号するための手段と、
前記ブロードキャストコンテンツを出力し、前記抽出されたメタデータによって特定されるタイムインスタンスで、ブロードキャストコンテンツの出力から、二次コンテンツの出力に切り替えるための手段と、
を備える、装置。
【請求項１１】
前記二次コンテンツは、前記二次コンテンツがどこに位置するかを特定する前記メタデータの中の前記ロケーション情報に基づいて、インターネットを通して前記コンピューティングデバイスによって取り出される、請求項１０に記載の装置。
【請求項１２】
前記メタデータの前記タイミング情報に基づいて、前記二次コンテンツを出力するための粗いタイミングを確立するための手段をさらに備え、ここにおいて、前記メタデータと共同して前記ブロードキャストコンテンツを出力するための前記手段は、前記ブロードキャストコンテンツを出力し、そして前記粗いタイミングに少なくとも部分的に基づく時刻で、前記二次コンテンツの出力に切り替えるための手段を備える、
請求項１０に記載の装置。
【請求項１３】
前記ブロードキャストコンテンツのフレームレート分解能に基づいて、前記二次コンテンツを出力するための細かいタイミングを確立するための手段をさらに備え、ここにおいて、前記メタデータと共同して前記ブロードキャストコンテンツを出力するための前記手段は、前記ブロードキャストコンテンツを出力し、そして前記粗いタイミングおよび前記細かいタイミングに基づく時刻で、前記二次コンテンツの出力に切り替えるための手段を備える、
請求項１２に記載の方法。
【請求項１４】
前記コンピューティングデバイス内のハイパーテキスト転送プロトコル（ＨＴＴＰ）キャッシュに前記ブロードキャストコンテンツおよび前記抽出されたメタデータを記憶するための手段をさらに備え、ここにおいて、前記メタデータと共同して前記ブロードキャストコンテンツを出力するための手段は、前記ＨＴＴＰキャッシュにアクセスするウェブベースのクライアントを介して出力するための手段を備える、
請求項１０に記載の装置。
【請求項１５】
前記ウェブベースのクライアントを介して出力するための前記手段は、前記メタデータと共同して前記ブロードキャストコンテンツを出力するために、前記ウェブベースのクライアントに、前記ＨＴＴＰキャッシュに記憶された、前記ブロードキャストコンテンツおよび前記抽出されたメタデータを転送するための手段を備える、または
前記ウェブベースのクライアントは、前記コンピューティングデバイス上で実行するクライアントアプリケーションである、または
広告選択および挿入アプリケーションは、前記抽出されたメタデータと共同して前記ブロードキャストコンテンツを出力するための前記手段を提供する、
請求項１４に記載の装置。